(57)【要約】アクティブマトリクス表示装置が、画素エレメント、例えば液晶画素エレメントのアレイと、行及び列の方向にそれぞれ延在し、画素エレメントに接続されたアドレス導体の第１及び第２のセット１６，１８と、アドレス導体の一方のセット１８と同一の方向に延在し、それぞれがアドレス導体の他方のセット１６の対応する１つに接続された接続導線のセット３０′であり、これを介してアドレッシング信号がアドレス導体の他方のセットに供給される接続導線のセット３０′とを有する。望ましくないディスプレイのアーチファクトを回避するために、各接続導線３０′は、アレイの１つのサイドから延在すると共に、関連するアドレス導体１６への接続点３２の近傍で終端し、接続点３２の付近からアレイの対向するサイドまで延在する対応する相補的な導線３０″が設けられており、この相補的な導線は、接続ライン３０′から電気的に分離されており、参照信号源４０にされている。
2004538511.tif 000002
【特許請求の範囲】
【請求項１】
支持体に保持され、それぞれが画素エレメント電極及び関連するスイッチング素子を有する画素エレメントの行及び列のアレイと、
前記画素エレメントに接続され、前記行及び列の方向にそれぞれ延在するアドレス導体の第１及び第２のセットであり、これらを介して前記画素エレメントがアドレスされる当該アドレス導体の第１及び第２のセットと、
前記支持体に保持され、それぞれが一方のセットの前記アドレス導体の各隣接するペアの間において当該ペアの方向に延在し、前記アドレス導体の他方のセットの対応する１つに接続された接続導線のセットであり、これを介してアドレッシング信号が前記アドレス導体の他方のセットに供給される当該接続導線のセットと
を備えたアクティブマトリクス表示装置であって、
各接続導線は、前記アレイの１つのサイドから前記他方のセットの関連するアドレス導体に接続される接続ポイントまで延在し、各接続導体に対応して、前記接続ポイントの近傍から前記アレイの対向するサイドまで延在し、参照信号源に接続された相補的な導線が設けられたアクティブマトリクス表示装置。
【請求項２】
前記接続導線及び前記相補的な導線が、前記画素エレメント電極の下部に延在し、誘電層により前記画素エレメント電極から分離された請求項１記載の装置。
【請求項３】
前記接続導線及び前記相補的な導線は、前記画素エレメントの近傍に横方向に延在する請求項１記載の装置。
【請求項４】
接続導線及びその関連する相補的な導線が、前記一方のセットの対応するアドレス導体の傍らに延在する請求項３記載の装置。
【請求項５】
各接続導線及びその関連する相補的な導線が、前記接続ポイントの近傍において導線の長さに沿って不連続点を有する前記アレイの対向するサイドの間に延在する単一の導線として設けられた請求項１ないし４のいずれか１項に記載の装置。
【請求項６】
駆動回路が、前記画素エレメントの前記スイッチング素子に選択電圧レベル及び非選択電圧レベルを有するアドレッシング信号波形を供給する前記接続導線のセットに接続された請求項１ないし５のいずれか１項に記載の装置。
【請求項７】
前記相補的な導線のための参照信号が、前記非選択電圧レベルに対応する請求項６記載の装置。
【請求項８】
前記画素エレメントが液晶画素エレメントを有する請求項１ないし７のいずれか１項に記載の装置。
【発明の詳細な説明】
【０００１】
【発明の属する技術分野】
本発明は、アクティブマトリクス表示装置に係り、より具体的には、支持体に保持され、それぞれが画素エレメント電極及び関連するスイッチング素子を有する画素エレメントの行及び列のアレイと、画素エレメントに接続され、行及び列の方向にそれぞれ延在するアドレス導体の第１及び第２のセットであり、これらを介して画素エレメントがアドレスされる当該アドレス導体の第１及び第２のセットと、支持体に保持され、それぞれが一方のセットのアドレス導体の各隣接するペアの間において当該ペアの方向に延在し、アドレス導体の他方のセットの対応する１つに接続された接続導線のセットであり、これを介してアドレッシング信号がアドレス導体の他方のセットに供給される当該接続導線のセットとを備えたアクティブマトリクス表示装置に関する。
【０００２】
【従来の技術】
この種のアクティブマトリクス液晶表示装置（ＡＭＬＣＤ）であり、例えば、移動電話機，カメラのビューファインダ及びシステム電子手帳などのような携帯用のアプリケーションに用いるのに適しているものの一例は、欧州特許出願第０１２００４６６．９号（出願人整理番号ＰＨＮＬ０１００７４）に説明されている。この装置では、各接続導線が、アレイの１つのサイドから対向するサイドまで延在しており、その導体にわたって延在する長さに沿ったある位置において関連するアドレス導体に接続されている。
【０００３】
アドレス導体のセットの１つに接続される接続導線のセットを設けることは、行アドレス導体に与えられ、選択（走査）信号を有し、画素エレメントを駆動するアドレッシング信号と列アドレス導体に与えられる表示データ信号とが、従来のＡＭＬＣＤなどにおけるような２つの互いに垂直なサイドではなく、支持体の共通のサイド又は支持体の対向する平行な両サイドのいずれかにおいて供給されることを可能にする。典型的には、従来のＡＭＬＣＤでは、選択信号を運ぶ行アドレス導体のセット及びデータ信号を運ぶ列アドレス導体のセットはそれぞれ、装置の表示領域を規定する画素エレメント電極アレイの領域を超えて支持体の対応する周辺領域まで、これらが保持されている矩形の支持体上に延在し、電気的な接点がアドレス導体のセットと作られることを可能にする目的のために、支持体の２つの隣接する縁部を有している。例えば、行駆動回路ＩＣ及び列駆動回路ＩＣは、延長されたアドレス導体に接続される出力端子と共に支持体のこれら周辺の額縁（ｂｏｒｄｅｒ）領域に直接実装されることが可能であり、また、代替として、フォイル上のトラックを介してアドレス導体に接続される出力端子と共に当該フォイルに実装されることが可能である。上述したように接続導線のセットを用いることは、支持体の単なるサイドに沿った共通の周辺額縁領域若しくは支持体の対向する平行な両サイドに沿った対応する周辺額縁領域のいずれかにおいて、又は、代替として、そのような部分において作られるべきフォイルの接続のために、ＩＣが代わりに設けられることを可能にする。
【０００４】
上述した特許出願において説明されているように、この特徴は、例えば、支持体のあるサイズに対して有効な表示領域が１つの次元（ｄｉｍｅｎｓｉｏｎ）において増大されることを可能にするために用いられ、これは、表示装置が小型の携帯用製品に用いられる場合に有利である。同様の種類の接続方法が、Ｒ． Ｇ． Ｇｒｅｅｎｅ等による論文「Ｍａｎｕｆａｃｔｕｒｉｎｇ ｏｆ Ｌａｒｇｅ Ｗｉｄｅ−Ｖｉｅｗ Ａｎｇｌｅ Ｓｅａｍｌｅｓｓ Ｔｉｌｅｄ ＡＭＬＣＤｓ ｆｏｒ Ｂｕｓｉｎｅｓｓ ａｎｄ Ｃｏｎｓｕｍｅｒ Ａｐｐｌｉｃａｔｉｏｎｓ」（ＩＤＭＣ２０００， ｐ１９１−１９４）において述べられている。この場合の利点は、アドレス導体が単なる１つの縁部から駆動されることを可能にすることにより個々の表示パネルをタイルのように並べること（ｔｉｌｉｎｇ）が容易になることである。
【０００５】
【発明が解決しようとする課題】
しかしながら、このような表示装置の動作特性は、接続導線の存在により悪影響を及ぼされ得ることが分かった。特に、上記表示装置は画素エレメントの非均一性及び画像の残留（ｒｅｔｅｎｔｉｏｎ）の問題を被ることが分かった。
【０００６】
本発明の目的は、冒頭の段落において説明した種類の改善された表示装置を提供することにある。
【０００７】
本発明の他の目的は、上述した問題が少なくともある程度改善される表示装置を提供することにある。
【０００８】
【課題を解決するための手段】
本発明によれば、冒頭の段落において述べた種類のアクティブマトリクス表示装置であって、各接続導線が、アレイの１つのサイドから他方のセットの関連するアドレス導体に接続される接続ポイントまで延在し、各接続導体に対応して、接続ポイントの近傍からアレイの対向するサイドまで延在し、参照信号源に接続された相補的な（ｃｏｍｐｌｅｍｅｎｔａｒｙ）導線が設けられたアクティブマトリクス表示装置が提供される。
【０００９】
接続導線に関連する相補的な導線を設けることは、望ましくないディスプレイのアーチファクトが大きく低減された状態で上述した問題につながり、従って、画素エレメントの出力の非均一性がより少なく、画像の残留の影響がより少ない改善されたディスプレイの品質をもたらす。本発明は、接続導線の存在により引き起こされるある寄生容量の作用がこれらの問題の原因であるという認識から生じている。上記寄生容量の性質は、接続ポイントにおいて接続導線に接続されたアドレス導体に結合された接続ポイントの場所における画素エレメントが、アレイの他の場所の画素エレメントとは異なる結果を経験することを意味する。アドレス導体の一方のセットが列アドレス導体を有し、他方のセットが行アドレス導体を有し、これらにデータ信号及び選択信号がそれぞれ供給される場合、接続導線の存在は、ある供給されるデータ信号電圧に関して、それらのディスプレイの出力が他の画素エレメントからのディスプレイの出力と異なるという結果を伴って、接続ポイントの場所における画素エレメントに対するキックバック作用が異なることを意味する。また、これらの画素エレメントは、液晶材料のエージング作用及び画層の残留の問題を引き起こす重大な実効直流電圧により影響を及ぼされ得る。
【００１０】
上記相補的な導線は、実際には、１つの接続導線及びその関連する相補的な導線に関連する画素エレメントに関して、接続ポイントまでの画素エレメント及び接続ポイント後の画素エレメントは全て、各場所において存在する寄生容量の点で同様の環境を有するように、「ダミー」接続導線としての役割を果たす。
【００１１】
従って、相補的なラインに供給される適切な参照信号、例えば、コネクタ導線が行アドレス導体に（選択電圧レベル及び非選択電圧レベルを有する）行駆動波形を運ぶ場合にそのような波形の非選択レベルに対応する参照信号がある場合、全ての画素エレメントはほぼ同様のキックバック作用を経験することが確実になる。
【００１２】
上記アレイにおける画素エレメントの行の数が列の数と異なり、画素エレメントの列（又は行）の数が必要とされる接続導体の数を超える可能性がある。このような場合には、接続導線と関連しない画素エレメントの列（又は行）のそれぞれに関して相補的な導線が設けられ、接続導線と関連しない画素エレメントが関連する接続導線を有する画素エレメントと同様の容量的環境を経験し、それによりアレイにわたって画素エレメントの均一性を確実にするように、上記導線はアレイの１つのサイドから他のサイドまで延在する。
【００１３】
上記相補的な導線及び接続導線は、接続導線及び対応する関連した相補的な導線が、例えば、それぞれが長さに沿って不連続点を有する各ラインに導電材料の堆積層のパターニングを行うことによって形成された状態で、接続導線及び相補的な導線を構成する２つの部分をそれぞれ規定するように、対応する接続ポイントにより決定される適切な場所において、同じ手法で設けられることが好ましい。接続導線及び相補的な導線は、例えば異なる堆積層から別個の工程段階において、画素エレメント電極などに対する２つのラインの位置決めが同一ではない状態で形成され得る。しかしながら、この手法は、製造工程を複雑にすることに加えて、関連する容量の性質の著しい違いをもたらす可能性がある。
【００１４】
上記接続導線及び相補的な導線は、画素エレメント電極の下部に延在してもよく、誘電層により画素エレメント電極から分離されてもよい。代替として、これらのラインは、画素エレメント電極の近傍に横方向に（ｌａｔｅｒａｌｌｙ）延在するように、例えば一方のセットのアドレス導体の傍らに（ａｌｏｎｇｓｉｄｅ）配されてもよい。これは、これらのラインと重要の因子である画素エレメント電極との間の容量を低減する。これは、画素エレメント電極がＩＴＯのような透明な導電材料を有する透過型である表示装置の場合においても有利である。そうでなければ、画素エレメント電極の下部に配されるとき、ラインは同様に透明な材料よりなる必要があるからである。しかしながら、これらのラインを画素エレメント電極の近傍に横方向に位置付けることは、画素エレメントの開口部の減少を招く。
【００１５】
本発明は、特にアクティブマトリクス液晶表示装置に適用可能であるが、（所謂ポリマタイプ及び有機タイプの両方の）電気泳動、エレクトロクロミック、エレクトロルミネセント表示装置のような画素エレメントのための他の電気光学材料を用いた種々のアクティブマトリクス表示装置にも有利に適用され得る。
【００１６】
本発明によるアクティブマトリクス表示装置の実施の形態が、添付の図面を参照して例として説明されるであろう。
【００１７】
図は、単に模式的なものであり、正確な縮尺では描かれていないことを理解されたい。同一又は類似の部分を示すために、図面全体を通して同一の参照符号が用いられている。
【００１８】
【発明の実施の形態】
図１を参照すると、アクティブマトリクス液晶表示装置の従来の型の一部が示されており、この液晶表示装置は、個々にアドレス可能な画素エレメント１０のマトリクスアレイ１１を備えており、各画素エレメント１０は、ディスクリート画素エレメント電極１２と、アモルファスシリコン（ａ−Ｓｉ）又はポリシリコンを含み得る薄膜トランジスタ（ＴＦＴ）の形の関連するスイッチングデバイス１４とを有している。このような装置の一般的な構造及び動作は、例えば米国特許第５１３０８２９号公報に説明されており、この公報に参照が求められ、上述した点における上記公報の開示内容は、本明細書に組み込まれたものとする。簡潔に説明すると、画素エレメント電極１２は行及び列に体系づけられており、第１及び第２の互いに垂直なアドレス導体のセット、すなわち、行選択アドレス導体１６及び列データアドレス導体１８が、各画素エレメント電極１２がアドレス導体の各ペアの交差部の近傍に位置する状態で、これら電極１２間に延在する。上記画素エレメント電極、アドレス導体のセット及びＴＦＴは全て、支持体２０、例えばガラス板上に保持されている。その上には、第２の支持体、例えばガラス板（図示せず）が支持体２０と平行に配設されており、共通電極を保持している。上記２つの支持体は互いに離間されており、液晶材料は、これら支持体の間に配され、支持体間のアレイの周辺部を囲むように延在するシールにより封じ込まれている。各画素エレメント電極は、その上部の共通電極及びこれらの間の液晶材料と共に各表示エレメントを規定している。
【００１９】
上記画素エレメントを駆動するために、行駆動回路２６及び列駆動回路２８が、行アドレス導体１６のセット及び列アドレス導体１８のセットの一端部において当該セットにそれぞれ接続されている。行駆動回路２６は、行アドレス導体１６のそれぞれに選択（走査）信号を順次供給して、その結果、各行のＴＦＴ１４をオンにし、列駆動回路２８は、例えば入力ビデオ信号をサンプリングすることにより得られるデータ（ビデオ）信号を列アドレス導体１８のそれぞれに行の選択と同期して供給する。駆動回路２６，２８は、通常、図１に示されているように、アレイの２つの隣接するサイドと支持体の対応する縁部との間において支持体２０領域上に実装されるか、又は、フォイル若しくはテープが支持体の２つの隣接するサイドに沿った周辺領域においてアドレス導体のセットと相互接続される状態でＣＯＦ（Ｃｈｉｐ ｏｎ Ｆｏｉｌ）若しくはＴＣＰ（Ｔａｐｅ Ｃａｒｒｉｅｒ Ｐａｃｋａｇｅ）技術を用いる場合には代替としてフォイル又はテープ上に実装され得るＩＣの形で設けられている。ポリシリコンＡＭＬＣＤの場合、その代わりに、実際には、上記駆動回路は同様のプロセスを用いて支持体２０の周辺領域に、支持体上に完全に集積されるようにＴＦＴ及びアドレス導体などを有するアクティブマトリクス回路として同時に製造され得る。
【００２０】
理解されるであろうように、高さ及び幅の両方における支持体２０の全体の大きさは、上述したようなものを収容するアレイよりも著しく大きい必要があるために、ＩＣの実装又はテープ若しくはフォイルとの相互接続の提供のために２つの隣接するサイドに沿った上記支持体の周辺領域を捧げる必要は制限される。この点で有利さを提供する代替の装置が提案されている。図２は、その代替の装置の原理を用いた画素エレメントアレイの一部を示している。このアレイは、同様に、画素エレメント電極１２と、行アドレス導体１６及び列アドレス導体１８のセットに接続された関連するＴＦＴ１４とを有している。しかしながら、この装置では、行アドレス導体１６は画素エレメントアレイの対向する縁部のごく近傍において終端し、列アドレス導体１８と平行に延在する追加の列導体の形の接続ライン３０のセットが設けられており、これらライン３０のそれぞれは、対応する列の画素エレメント電極１２に沿ってアレイの一方のサイドから対向するサイドまで延在すると共に、接続ポイント３２において行アドレス導体の対応する１つに接続されている。この接続ポイントの場所は、ライン３０と関連するアドレス導体１６との交差部に対応し、各ラインに関して異なる。追加の接続ライン３０は、例えば図３において表示装置の模式的な平面図に示されているように、データ信号が列アドレス導体１８に供給されるサイドに一致又は対向するアレイのサイドから行アドレス導体１６に行選択信号が供給されることを可能にする。図３の場合、行駆動回路ＩＣ２６及び列駆動回路ＩＣ２８が、画素エレメントアレイ１１の対向する両サイドの支持体２０の対応する縁部において支持され、列アドレス導体１８及びライン３０の端部が列駆動回路ＩＣ及び行駆動回路ＩＣにそれぞれ接続された状態である。その結果、行駆動回路ＩＣ又は行アドレス導体１６のセットへの相互接続のために行アドレス導体１６のセットの端部近傍のサイドに沿って支持体２０の周縁領域を捧げる必要がない。これは、ある表示サイズに対する支持体領域の低減が可能であることを意味し、例えば単一の処理を施される、最初大きな領域のガラスのシートから得られる表示装置用のより多数のアクティブプレートをもたらす。また、対向するサイドにおける最小の過剰領域を伴う表示装置の対称性は、多くのアプリケーションにおいて、特に移動電話機などに用いられるような小さな領域の表示装置のために、有利である。
【００２１】
この種の表示装置の例及びそのような装置を用いることにより得られる他の利点は、欧州特許出願第０１２００４６６．９号明細書に開示されており、この明細書に参照が求められ、その開示内容は本明細書に組み込まれたものとする。
【００２２】
Ｒ． Ｇ． Ｇｒｅｅｎｅ等による論文「Ｍａｎｕｆａｃｔｕｒｉｎｇ ｏｆ Ｌａｒｇｅ Ｗｉｄｅ−Ｖｉｅｗ Ａｎｇｌｅ Ｓｅａｍｌｅｓｓ Ｔｉｌｅｄ ＡＭＬＣＤｓ ｆｏｒ Ｂｕｓｉｎｅｓｓ ａｎｄ Ｃｏｎｓｕｍｅｒ Ａｐｐｌｉｃａｔｉｏｎｓ」（ＩＤＭＣ２０００， ｐ１９１−１９４）において、行アドレス導体及び列アドレス導体がアレイの同じサイドから接続されると共に、より便利に大領域ディスプレイを生成するために個々のパネルがタイルのように並べられることを可能にするビューを伴う追加の接続ラインを用いる液晶パネルが説明されている。このパネルでは、追加の接続ラインは、列アドレス導体の近傍の、画素エレメント電極の隣接する列の間に延在している。
【００２３】
図２に示されている装置では、ライン３０はそれぞれ、画素エレメント電極の列の下部のほぼ中央に延在する。反射性金属電極１２を用いる反射型ディスプレイである表示装置の場合には、上記ラインはアルミニウムのような金属から形成されてもよく、便利なように列アドレス導体１８と同じ堆積金属層から形成されてもよい。電極１２がＩＴＯのような透明な導電材料を有する透過型ディスプレイの場合には、ライン３０は同様に透明な導電材料により形成されることが好ましい。
【００２４】
この種の表示装置の動作時には、望ましくないディスプレイのアーチファクト、特に画素エレメントの非均一性が起こる可能性がある。これらのアーチファクトは、追加の接続ライン３０の存在により生じる容量の影響によって大いに引き起こされることが明らかにされなければならない。
【００２５】
そのようなアーチファクトが少なくとも著しく低減される本発明による表示装置の一実施の形態が、図４を参照して説明される。図４は、図２と同様の装置のアクティブマトリクスプレートの一部を示しているが、ある変更を伴っている。明らかであるように、ここでは接続ライン３０に相当する導体が、各場合に接続ポイントにおいて又は接続ポイントの非常に近傍において終端する第１の部分３０′及び第２の部分３０″を形成するように、対応する接続ポイント３２の領域において電気的に不連続とされている。接続ポイント３２までの各部分３０′は、アレイの１つのサイドの近傍の端部において列駆動回路２６に接続されており、この部分は関連する行アドレス導体１６に選択信号波形を供給する際に前述のライン３０と同じ機能を果たす。
【００２６】
部分３０′から電気的に分離された残りの部分３０″は、第１の部分３０′の端部及び接続ポイント３２の非常に近傍から、アレイの、これらの部分３０″の全てに共通の導線３８を介して参照信号源４０に接続される反対のサイドまで延在している。
【００２７】
部分３０″は、一般に、画素エレメント電極１２の各列の下部のアレイの１つのサイドから対向するサイドまで延在するが、ラインを形成するために用いられる堆積導電層の適切なパターニングにより接続ポイントのごく近傍において各ラインに断線（ｂｒｅａｋ）が導入された状態であり、これにより電気的に切断された部分３０′，３０″の関連するペアが規定される単一のラインとして、ライン３０と同様の通常の方法で部分３０′と同時に形成されることが好ましい。しかしながら、代替として、望まれる場合には、部分３０′のセット及び部分３０″のセットは、異なるプロセスで互いに別個に形成され得る。すなわち、部分３０′，３０″の各関連するペアは、前述したように導線３０と同等であり得るが、その長さに沿って断線を伴って形成されているか、又は分離した部品として形成されている。どちらの場合においても、部分３０′はライン３０に対応する接続導線を構成し、部分３０″は相補的な導線を構成し、部分３０″のそれぞれは接続導線３０′及び画素エレメント電極１２の列に関連する。
【００２８】
この手法において、本質的には、接続ライン３０′及び相補的なライン３０″を規定する導線３０の断線は、図５及び図６を参照して説明される理由のために望ましくないディスプレイのアーチファクトの著しい低減をもたらす。図５及び図６は、画素エレメントアレイの典型的な部分の等価回路を模式的に示しており、参照符号１〜９が付され、図２及び図４の装置をそれぞれ用いた９つの隣接する画素エレメント１０を有している。
【００２９】
図５を参照すると、接続導線３０の存在は、各画素エレメント１０において寄生容量、最も著しくは画素エレメント電極１２とその下の部分のライン３０との間の容量Ｃ１を生じさせる。また、ライン３０と行アドレス導体１６との交差部においてこれらの間に、より少なく重要な寄生容量（図示せず）が形成される。とにかく、通常、寄生容量が、とりわけＴＦＴのゲート／ソース容量のために、画素エレメント電極１２と関連する行アドレス導体１６との間に存在し、ここではＣｏの参照符号が付されている。液晶ディスプレイエレメント自体の容量は、Ｃｐで示されており、これは、液晶容量と、通常、液晶エレメントと一般に並列にもたらされる関連する蓄積キャパシタＣｓとからなり、ここでは、反対側の支持体に保持された共通電極が符号３６を付されている。
【００３０】
接続ポイント３２に対応する画素エレメントの場所における、すなわち図５において当該列の接続ポイントが生じる行アドレス導体１６に接続された画素エレメント１，５，９における容量Ｃ１の作用は、通常の寄生容量Ｃｏと並列に現れるために、重要である。他の全ての画素エレメントでは、これは、蓄積容量Ｃｓと並列に現れる。行アドレス導体に印加される波形が選択電圧レベル（ＴＦＴがオンになり、画素エレメントを選択するレベル）Ｖｏｎからより低いホールドレベル（ＴＦＴがオフに保持されるレベル）Ｖｏｆｆに落下する際の下段への行の移行に起因するキックバックエラー電圧は、画素エレメント容量Ｃｏを介して画素エレメント容量Ｃｐに結合されるが、画素エレメント１，５，９の場合には、行アドレス導体１６の移行が関連する接続導線３０上においても存在するので、上記キックバックエラー電圧は画素エレメント容量Ｃｏ及びＣ１の両方を介して結合される。これらの画素エレメントに関して、キックバック電圧Ｖｋｂは、
式
Ｖｋｂ＝［Ｖｏｎ−Ｖｏｆｆ］×（Ｃ１＋Ｃｏ）／（Ｃｏ＋Ｃｐ）    （１）
により与えられる。他の全ての画素エレメントに関して、キックバック電圧は、式
Ｖｋｂ＝［Ｖｏｎ−Ｖｏｆｆ］×Ｃｏ／（Ｃｏ＋Ｃｐ＋Ｃ１）    （２）
により与えられる。
【００３１】
このように、接続ポイントの場所における画素エレメント１，５，９及び他の画素エレメントに関するキックバックは、全ての他の画素エレメントに関するキックバックとは異なる。ａ−ＳｉタイプのＴＦＴを用いた表示装置に関する典型的な駆動電圧レベル及び容量の値の場合、この差は、小型の表示装置に関して例えば約１．５Ｖであり得る。あるデータ信号値に関して他の画素エレメントから異なる明るさのレベルを生成する接続ポイントの場所において画素エレメントの動作のために非均一性を引き起こす上記キックバックの差に加えて、キックバック電圧は、エージング及び画像の残留の問題も引き起こす全ての画素エレメントに関する実効直流電圧としても現れ得る。
【００３２】
図４の装置におけるように各接続ポイント３２において接続導線３０′を終端させることは、容量Ｃ１がもはや存在しないので、行アドレス導体１６への余分な容量によって以前は影響を受けた画素エレメントが、ここでは同じように影響を受けないことを意味する。この手法においてラインを単に終端させることは、上記接続ポイントを超えた列の各画素エレメントの容量的環境が当該ラインから接続ポイントまで異なるために不満足であり、その結果、おそらく画像の劣化が起こるであろう。相補的なライン３０″は、ある列の画素エレメントが全て同様の容量的環境を共有することを確実にすることによりこの可能性を回避する役割を果たす。動作の際、これら相補的なライン３０″は、共通の導線３８を介して、用いられる特定の種類の駆動機構に依存し、例えばグランド若しくは行アドレス導体に供給される選択信号波形のホールドレベル又は対向する支持体に保持された共通電極３６に供給される電圧と同じ交流電圧信号に対応する、ソース４０によって供給される参照電圧レベルに保持される。
【００３３】
図６を参照すると、図６は、図４の装置における幾つかの画素エレメントの実際に効果のある等価回路を示しており、これを図５の回路と比較すると、図５と同様に１，５，９の参照符号を付された、接続ポイント３２の場所における画素エレメントは、他の画素エレメントと同じ関連する行アドレス導体１６への容量性結合を有し、寄生容量Ｃ１が画素エレメント電極１２と行アドレス導体１６との間の寄生容量Ｃ０ともはや並列ではないことが分かる。従って、これらの特定の画素エレメントに結合された行１６及びライン３０″の移行は他の全ての画素エレメントと実質的に同じであり、それに加えて、全ての画素エレメントにより経験されるキックバックは実質的に同じである。この場合のキックバックレベルは、
Ｖｋｂ＝［Ｖｏｎ−Ｖｏｆｆ］×Ｃｏ／（Ｃｏ＋Ｃｐ＋Ｃ１）    （３）
により与えられる。
【００３４】
全ての画素エレメントにより同様のキックバックが経験されるので、このようなキックバックの作用は全ての画素エレメントに関して同一であり、画素エレメント１，５，９に関して以前は見られた非均一性がもはや存在しない。
【００３５】
ある表示装置では、画素エレメントアレイの列の数が行の数よりも多く、全ての画素エレメントの列が関連する接続導線３０′を持つわけではない。この場合、関連する接続ラインを持たない画素エレメントの列は、代わりに、アレイの一方のサイドから他方まで列全体の長さに沿って延在する相補的な導線３０″のみを備え得る。これは、これらの列の画素エレメントが、接続ラインを持つ列において画素エレメントについての同様の容量的環境を経験することを確実にする。
【００３６】
図７に、接続ポイント３２の場所における１つの完全な画素エレメントの構造が、平面図で模式的に示されている。この例の構造の電極１２は、介在する誘電層（図示せず）が設けられた状態で、ごく近傍の行アドレス導体１６及び列アドレス導体１８とわずかにオーバーラップするように配されている。接続ライン３０′及びそれに関連する相補的なライン３０″は、列の画素エレメント電極１２及び行アドレス導体１６の下部に延在し、電極１２の中心線の付近に配された、それぞれ並べられた導電材料の帯状体を有している。対をなすライン３０′及びライン３０″、更に他の画素エレメントの列に関連する対応するラインは、行アドレス導体及び列アドレス導体を作製するために用いられる方法と同様の方法で層の適切なフォトリソグラフィパターニングを行うことによって、同じ導電材料の堆積層により形成される。ここでは、各ライン３０′及びその対応する相補的なライン３０″は、アレイの対向するサイドの間に延在し、参照符号５０で示されているように、ライン３０′及びライン３０″を構成する部分を互いに電気的に分離する接続ポイント３２において行アドレス導体１６のごく近傍において短い不連続が規定される導電材料の単一の帯状体の形態で形成されている。行アドレス導体が形成される際、当該行アドレス導体がバイア（ｖｉａ）を介してライン３０′と電気的に接続するように行アドレス導体を形成する層の堆積及びパターニングを行う前に、上記接続ポイントにおいて、行アドレス導体１６をその上のライン３０′から分離する誘電層に上記バイアが形成される。
【００３７】
電極１２がＩＴＯのような透明な導電材料を有する透過型の表示装置では、ライン３０′及びライン３０″は、同一の材料により形成されることが好ましい。電極が不透明な反射性の金属により形成される反射型の表示装置では、ライン３０′及びライン３０″は、アルミニウムのような不透明な金属により形成されてもよく、簡単にするために列アドレス導体１８と同じ堆積された金属層から形成されてもよい。
【００３８】
上述した例ではライン３０′及びライン３０″が画素エレメント電極１２の列の下部に延在するように示されているが、これは必ずしも必要なことではない。上記ラインは、図８の画素エレメントの模式的な平面図に示されているように、画素エレメント電極１２の列の一方のサイドにおいて、列アドレス導体１８の傍らに配されてもよい。この代替の配置は、上述した寄生容量Ｃ１がかなり低減されるという利点を有する。しかしながら、透過型表示装置の場合には、有効な画素エレメントの開口の大きさ、及び従って開口部も低減されるという欠点が存在する。
【００３９】
上述した例では概して矩形の画素エレメントアレイが用いられたが、アレイは異なる形状、例えば半円であり得ることが考えられる。アレイの同一のサイド又は対向するサイドに沿って行駆動回路及び列駆動回路又はこれらに関する接続領域を設けることができることは、利用されるアレイの形状の選択及び実現におけるより大きな自由度を可能にする。
【００４０】
本発明は、特にＡＭＬＣＤに関して説明されたが、ＡＭＬＥＤ表示装置のような他のタイプのアクティブマトリクス表示装置において同様の利点が適用され得ることが考えられる。
【００４１】
本明細書の開示を読むことから、当業者であれば他の変形が明らかであろう。このような変形は、アクティブマトリクス表示装置及びそれに関する構成部品の分野において既に知られている他の特徴や、本明細書において既に述べた特徴に代えて、又はそれに加えて用いられ得る特徴を含んでいてもよい。
【図面の簡単な説明】
【図１】通常のＡＭＬＣＤ装置の隣接する画素エレメントの典型的なグループの構成を模式的に示す図である。
【図２】代替のＡＭＬＣＤ装置の画素エレメントの典型的なグループの構成を模式的に示す図である。
【図３】図２に示したタイプのＡＭＬＣＤにおける駆動回路の可能な構成を模式的に示す図である。
【図４】本発明に係るＡＭＬＣＤの一実施の形態における画素エレメントの典型的なグループを模式的に示す図である。
【図５】図２の装置における画素エレメントのグループに関する等価電気回路を示す図である。
【図６】図４の装置における画素エレメントのグループに関する等価電気回路を示す図である。
【図７】各構成要素の配置を示す図４の装置の画素エレメントの模式的な平面図である。
【図８】各構成要素に関する代替の配置を示す図である。
【国際公開パンフレット】
2004538511.tif 000003
2004538511.tif 000004
2004538511.tif 000005
2004538511.tif 000006
2004538511.tif 000007
2004538511.tif 000008
2004538511.tif 000009
2004538511.tif 000010
2004538511.tif 000011
2004538511.tif 000012
2004538511.tif 000013
2004538511.tif 000014
2004538511.tif 000015
2004538511.tif 000016
2004538511.tif 000017
2004538511.tif 000018
2004538511.tif 000019
2004538511.tif 000020
2004538511.tif 000021
2004538511.tif 000022
2004538511.tif 000023
2004538511.tif 000024
2004538511.tif 000025
【国際公開パンフレット（コレクトバージョン）】
2004538511.tif 000026
【国際調査報告】
2004538511.tif 000027